(57)【要約】【課題】　簡単にカードに可視情報として、例えば部屋番号等の数字や文字の書込や消去ができ、かつ表面のデザインが際だつような可視磁気カードを提供すること。【解決手段】　カードに少なくともカードの一方の短辺側近傍に、長手方向に対して垂直方向に可視磁気表示部を設けたことを特徴とする可視磁気カード。【選択図】　図１
2004098670.tif 000002
【特許請求の範囲】
【請求項１】
　カードキーにより開閉ドアーをロック解除、またはロックするカードキー式電子錠に使用するカードにおいて、カードの一方の短辺側の近傍に、長手方向に対して垂直方向に可視磁気表示部を設けたことを特徴とする可視磁気カード。
【請求項２】
　少なくとも、磁気記録層と光反射性ベースシートからなる磁気記録シートと、表示部が透明な表示シートとを対向して２枚のシート間に表示セルを形成し、該表示セルに磁性粒子を封入してなる可視磁気表示部を、カードの一方の短辺側の近傍に、長手方向に対して垂直方向に設けた可視磁気カード。
【請求項３】
　少なくとも、磁気記録層と光反射性ベースシートからなる磁気記録シートと、表示部が透明な表示シートとを対向して２枚のシート間に表示セルを形成し、該表示セルに磁性粒子を封入してなる可視磁気表示部を、カードの一方の短辺側の近傍に、長手方向に対して垂直方向に設け、ＩＣチップを内蔵した可視磁気カード。
【発明の詳細な説明】
【技術分野】
【０００１】
　本発明は、カードの記録情報において目視確認したいものを、文字化若しくは数字化して磁気記録し、その磁気情報を可視画像として表示できる可視磁気カードに関するもので、その用途としては、ホテルなどの室の入室に際し、各部屋に用いられているカードキー式電子錠などに関するものである。
【背景技術】
【０００２】
　通常の鍵、所謂シリンダー錠だと合鍵を造られたり、または鍵穴をピッキングして解錠され泥棒が部屋に侵入し盗難の被害に遭うことがあり、鍵そのものが問題になっていた。このため鍵のセキュリティーをより向上させるため、近年ではカードキーなる電子錠が盛んに使われるようになってきている。カードキーは、カード紛失の場合にも通常の鍵紛失のように慌てることもなく、即座に該カードを無効にすることができるものである。また、シリンダー錠の鍵と比較して複製も困難なため強盗の侵入を防ぐことができたり、携帯にも便利なため重宝されている。
【０００３】
　上述した理由から、客室ドアーにカードキー式電子錠を備えたホテルが国内を始め海外でも増えている。このようなホテルでは、ホテルの利用客が部屋へ入出するためフロントでカードキーを渡す際は、通常、利用客が解るように部屋番号を鉛筆やボールペン等で書き込んだ紙袋にカードキーを入れて手渡している。
　カードキーは、セキュリティー上、常に定まった部屋のドアーのものと決まっているわけではなく絶えずフロントで書き換えを行っている。書き換えを行い指定する部屋のドアーに設けられた電子錠が一致するようにしている。このことからカードキーは、犯罪の抑止効果も期待できるし、利用客に対する信用度の向上にも繋がっている。
【０００４】
　ところで、カードキーは、書き換えにより様々な客室ドアーに対応させて使用するため、その都度利用客に該カードを手渡す際には部屋番号が解るように明記しなければならない。明記させる方法は、カードを入れる紙袋に部屋番号を書き込んで利用客に渡すのが一般的である。しかし、利用客が紙袋を捨ててしまったり、または紛失してしまったりした場合に番号を記憶していれば問題は起こらないが、もしも記憶がない時には、フロントへ問い合わせをしなければならず面倒であった。また、カードに直接印刷して書き込むのも手段としては考えられるが、常にカードが決まった部屋番号ではないので、簡単に書き込み消去することができないという問題があった。
【０００５】
　一方、カードの記録情報において目視確認したいものを、文字化若しくは数字化して磁気記録し、その磁気情報を可視画像として表示できる可視磁気カードが、特開昭６１−２７３７８６号公報により提案されている。
【特許文献１】特開昭６１−２７３７８６号公報
【発明の開示】
【発明が解決しようとする課題】
【０００６】
　前記、特開昭６１−２７３７８６号公報に開示された可視画像として表示する表示部は、カードの中央部に長手方向に沿って平行に設けたものが開示されているが、こうしたカードにおいては、何のカードか認識できるようにあるいは他のカードとの差別化を図るために、カード表面には様々な模様のデザインが施されるが、現実問題として、中央部に表示部があると表面の他の部分に模様を施しても、模様の相違による表面のデザインの印象は異なったものとなり難いという問題があった。また、カードの取り扱いの際に、どうしても中央部は把持しやすく、表示部が破損し易いという懸念もある。
【０００７】
　本発明は、上述した従来事情に鑑みてなされたものであり、本発明の目的とするところは、カードの記録情報において目視確認したいものを、文字化若しくは数字化して磁気記録し、その磁気情報を可視画像として表示できる可視磁気カードを提供することで、その用途として、ホテルの利用客が部屋番号を記憶する必要もなく、またフロントで部屋番号が解るように番号を明記した紙袋や、メモを渡したり、或いは直接カードにマーカー等で書き込んだりするような手を煩わす必要がなく、簡単にカードに部屋番号の書き込みや消去ができ、かつ表面のデザインが際だつような優れた可視磁気カードを提供することである。
【課題を解決するための手段】
【０００８】
　本発明は、前記課題の解決手段として、
「１．カードキーにより開閉ドアーをロック解除、またはロックするカードキー式電子錠に使用するカードにおいて、カードの一方の短辺側の近傍に、長手方向に対して垂直方向に可視磁気表示部を設けたことを特徴とする可視磁気カード。
　２．少なくとも、磁気記録層と光反射性ベースシートからなる磁気記録シートと、表示部が透明な表示シートとを対向して２枚のシート間に表示セルを形成し、該表示セルに磁性粒子を封入してなる可視磁気表示部を、カードの一方の短辺側の近傍に、長手方向に対して垂直方向に設けた可視磁気カード。
　３．少なくとも、磁気記録層と光反射性ベースシートからなる磁気記録シートと、表示部が透明な表示シートとを対向して２枚のシート間に表示セルを形成し、該表示セルに磁性粒子を封入してなる可視磁気表示部を、カードの一方の短辺側の近傍に、長手方向に対して垂直方向に設け、ＩＣチップを内蔵した可視磁気カード。」に関する。
【０００９】
　カードキー式電子錠等のカードにおいて、目視確認したいものを文字化若しくは数字化して磁気記録してその磁気情報を可視画像として表示でき、かつ可視磁気表示部を、カードの一方の短辺側の近傍に長手方向に対して垂直方向に設けたので、表面に施した模様等のデザインが目立つようになり、何のカードか認識しやすくなり、また他のカードとの差別化を図りやすくなったという利点がある。また、磁気記録の際にもカード全面を書込装置に挿入させる必要がないため装置が小型化でき、カードの取り扱いの際にも、他方の短辺側を把持することにより可視表示手段部分に触れずに把持する事が出来るので、可視表示手段を把持して損傷してしまうという可能性を低減することができる。
【００１０】
　また、カードは、一般的に磁気記録方式が使用されているが、近年ＩＣ記録方式も使われている。ＩＣ記録方式によるカードには、接触型と非接触型とを用いることができる。例えば、ホテルのカードキーとして用いる場合、接触型としてはカードキーをカードリーダーに挿入させることで鍵がロック解除、またはロックすることができ、カードキーを磁気カードとして利用することも可能である。非接触型ではカードリーダーから微弱な電波が出ているため、カードが電波の範囲内に近づけば鍵がロック解除、またはロックすることができ財布に入れたままでも使用可能で、ＩＣチップが内蔵されているものなら固有の情報をスピーディーにカードリーダーへ転送することもできる。
　磁気記録方式やＩＣ記録方式のカードは、例えば、ホテルのカードキーとして用いる場合、ホテル内に設けられているダイニングルームやインショップ等での食事や買い物の金銭支払いをカードでメモリーさせ合計の支払いはホテルのフロントで精算するようなカード決裁システムとしての利用もできる。
【発明の効果】
【００１１】
　カードの記録情報において目視確認したいものを、文字化若しくは数字化して磁気記録し、その磁気情報を可視画像として表示できるので、ホテルの利用客にカードキーを渡す際に部屋番号を鉛筆やボールペン等で書き込んだ紙袋にカードキーを入れて手渡す必要がなく、ホテルの客室ドアーのカードキーに適用できる。また、使用金額を明記可能としたクレジットカード等に適用できる。
【発明を実施するための最良の形態】
【００１２】
　以下、本発明の実施の形態について説明する。
　実施の形態１
　この実施の形態では、可視磁気表示部の基本的構造は、磁気記録層と光反射性ベースシートからなる磁気記録シートと、透明な表示シートとを対向して２枚のシート間に表示セルを形成し、該表示セルに磁性粒子と透明ないし白色の微粉末流動化剤との混合物を封入したもので構成し、ＩＣチップを内蔵した可視磁気カードの可視磁気表示部が磁気潜像に磁性粒子を流下・吸引させ表示を行うものである。
　この形態は、磁性粒子の凝集防止に優れ、かつ磁性粒子の表示セル器壁への付着を防止するものであって、表示セル内に微粉末の流動化剤が磁性粒子と共に封入され、この微粉末流動化剤の一部が磁性粒子表面を覆うように付着する。このため磁性粒子同士の付着力及び摩擦係数を減らし、その結果、磁性粒子同士の流動性を高めて凝集を防止する。更に、残余の微粉末流動化剤は表示セルを構成する磁気記録シート及び表示シート面に均一に付着しシートと磁性粒子との付着力や摩擦帯電を防止し、磁性粒子が表示セル器壁に付着するのを防止する。本発明においては磁気記録シートのベースシートが光反射率に大きな差を生じ、表示のコントラストを向上させている。
【００１３】
　この可視磁気カードは、表示セルに対応した磁気記録シート部分に磁気潜像を形成し、例えば可視磁気カードを傾ければ（水平から垂直にする）、磁性粒子は重力方向に流下するが、この時表示セル中の磁性粒子が微粉末流動化剤のため凝集したり、表示セル器壁に付着したりせずに着磁部と吸引されなかった非着磁部との間に満足の行く高いコントラストを生じ、表示鮮明性に優れた可視磁気カードが得られる。尚、磁気記録シートは、プラスチックフィルム等の適宜の基材の上面に磁気記録層（磁性層）を配置したものであり、表示シートも表示する部分を透明にしてあるプラスチックフィルム等が使用できる。
【００１４】
　磁性粒子としては、磁界中で強い磁性を示す高透磁率のものがよく、鉄、ニッケル、ステンレススチール、パーマロイ等の金属ないし合金系磁性材料や、四三酸化鉄、ガンマ酸化鉄、マンガン亜鉛フェライト等の酸化物系ないしフェライト系磁性材料が使用できる。粒子形状は磁性粒子自体が転がりやすい粒状ないし球状が好ましい。粒径は１０ミクロンから１００ミクロンの範囲が好適である。また、磁性粒子は表面着色ないし表面処理して、それ自体の色とは異なる色に仕上げて使用することができる。表紙セルに封入する磁性粒子の量はセル面積に対して約５〜１０質量％が好適である。
【００１５】
　微粉末流動化剤としては、無水ケイ酸、ケイ酸塩、酸化アルミニウム、酸化マグネシウム、炭酸カルシウム、塩基性炭酸マグネシウム、酸化チタンの無機微粉末や、酸化錫、酸化亜鉛、ヨウ化第１銅の導電性無機微粉末を含み、磁性粒子表面、及び表示セル器壁に均一に付着して磁性粒子同士、及び磁性粒子と表示セル器壁間の付着力、及び摩擦係数を減少させる性能を有するものである。尚、微粉末流動化剤は疎水処理の如き表面処理を施したものでもよい。粒子径は０．０１〜１ミクロンのものが好ましい。
【００１６】
　磁性粒子と微粉末流動化剤との混合割合は、磁性粒子１００質量部に対し、０．１〜１０質量部の範囲で用いられる。０．１質量部未満では混合効果が少なく、また１０質量部を超過すると微粉末流動化剤それ自体の流動性が悪いので、かえって磁性粒子の流動性を損ねる傾向がある。　
【００１７】
　実施の形態２
　この実施の形態では、ＩＣチップを内蔵した可視磁気カードの可視磁気表示部が磁界により磁極を異なる色に着色して色分けした磁性表示体を、反転させ表示を行うものである。可視磁気表示部の基本的構造は、該磁性表示体を分散させた分散液体を、磁気記録シートと、一部が透明な表示シートとの間に有する多セル構造部に封入したもので構成され、磁気記録シートより磁界を発生させ該磁性表示体の向きを変化させる。
【００１８】
　多セル構造部としては、プラスチックス製の貫通孔を有するハニカムコアを用いると好適である。各セル形状は、正方形、長方形、円、半円、多角形等でもよく、セルの面積は小さい程、鮮明で連続性のある表示ができ、また、セルとセルの隔壁は薄い程連続性のある良好な表示を得ることができる。その他の多セル構造部として、オリフィス法等によりマイクロカプセルを形成して使用することができる。
【００１９】
　磁性表示体の材料は、磁性粒子として、黒色マグネタイト、γ−ヘマタイト、二酸化クロム、フェライト等の酸化物磁性材料や、コバルト、ニッケル等の合金系の金属材料等の磁性材料など適宜使用可能であり、Ｓ極面とＮ極面を異なる色で着色されていれば、形状に限定されないが、偏平状ないし箔片状の磁性表示体は重なった状態でずれながら反転するので鮮明な表示が形成されるので好ましい。
【００２０】
　分散液体は、適度の降伏値と粘度を有しているものが好ましく、分散媒と増稠剤を主成分とし、分散媒としては有機溶剤、油類等の非極性分散媒のいずれでも用いることができる。また、増稠剤は、分散液体の主に降伏値を出すために用い、
アエロジル等の無機物、または脂肪酸ビスアマイド、水添ヒマシ油、Ｎ−アシルアミノ酸アマイドから選んだ有機増稠剤が使用でき、この有機増稠剤の場合は降伏値を付与するが、時間の経過とともに粘度と降伏値が変化しにくい利点があり好ましい。
　降伏値については、分散液体中の磁性粒子が適正に分散されるためと、表示の際には磁性粒子が表面付近に保持されている必要があるので、その沈降防止に作用するものであり、また粘度は、磁気をかけたときに磁気をかけた部分のみ作用するのに重要なものである。
【００２１】
　実施の形態３
　この実施の形態では、ＩＣチップを内蔵した可視磁気カードの可視磁気表示部が磁界によりフレーク状の磁性粒子を配向させ表示を行うものである。可視磁気表示部の基本的構造は、該磁性粒子を分散させた分散液体を、磁気記録シートと、一部が透明な表示シートとの間に有する多セル構造に封入したもので構成される。
　フレーク状の磁性粒子としては、鉄、ニッケル、ステンレス鋼等の磁性材質で板状のものが使用できる。本実施の形態は、フレーク状の磁性粒子の向きを変化させ、可視磁気表示部内に入射した光を反射させた部分と、透過させた部分のコントラストの差を生じさせることにより記録の表示および消去をさせるものであり、多セル構造部に入れてあるフレーク状の磁性粒子の向きを変化させるには磁気記録シートより磁界を発生させて行う。
【００２２】
　多セル構造部としては、前述した実施の形態２と同様な構造のものが使用できる。
【００２３】
　フレーク状の磁性粒子の材料は、ステンレスフレーク、ニッケルフレーク等があり、磁界作用により適切に配向するためには、磁性フレークの大きさは１０〜１００μｍの範囲が好ましい。
【００２４】
　分散液体は、前述した実施の形態２と同様に分散媒と増稠剤を主として分散させ、フレーク状の磁性粒子が分散液体中で凝集するのを防ぐため適度の降伏値と粘度を有しているものが好ましい。
【００２５】
　さらに、可視磁気カードの全面、または一部には可視表示手段として、特定温度を加えることでリライト表示可能なリライトフィルムを用いた白濁方式や、ロイコ染料を塗布したロイコ方式で表示と消去をさせるものを用いることもできる。
【実施例】
【００２６】
　以下、本発明の実施例を図面を用いて説明するが、本発明はこれによって限定されるものではない。
　図１は、本発明の可視磁気カードの全体斜視図であり、図２は、本発明の可視磁気カードの可視磁気表示部の中央部分を切断した拡大断面図である。また、図３は、本発明の可視磁気カードの正面図、側面図、平面図、背面図、使用状態を示す参考図である。
　発明の実施の形態としては、磁気記録方式の接触型の可視磁気カードについて説明する。
　図１には、可視磁気カードＡがカード表面板１１の上部中央に表示セル５を形成しているものが示されている。図２に示すように、磁気記録層２に光反射性ベースシート１を貼り付けた磁気記録シート３と透明な表示シート４との間に表示セル５を形成させるようにスペーサー１０を積層し、更に表示シート４上にＩＣチップ・送受信装置（図示せず）を内蔵したカード表面板１１を積層して構成する。尚、可視磁気カードＡの裏面には画像情報書き込みトラック（図示せず）が形成してある。また、表示セル５には、磁性粒子８と微粉末流動化剤９の二成分を混合させ封入してある。カード表面板１１を表示シート４として、表示シート４にＩＣチップ・送受信装置を内蔵させても構わない。
【００２７】
　磁気記録シート３は、厚さ５０ミクロンの白色ポリエステルフィルムの光反射性ベースシート１に磁気記録層２として１３ミクロンのガンマ酸化鉄系磁性層を設けたものである。可視磁気カードＡの上部に１１mm×４３mm角の打ち抜きを有する厚さ３００ミクロンのポリエステルフィルムで作ったスペーサー１０をエポキシ系接着剤層を設けて、磁気記録シート３のフィルム側に貼り合わせ、熱硬化を行った後、球状還元鉄粉（同和鉄粉工業株式会社製：商品名　ＤＦＭ２５０）９９部と、酸化錫系微粉末（触媒化成工業株式会社製：ＥＬＣＯＭ　ＴＬ２０）１部との混合物４０mgをスペーサー１０の打ち抜き部に充填し、次にスペーサー１０にエポキシ系接着剤層を設けて、厚さ５０ミクロンのポリエステルフィルムからなる表示シート４を貼り合わせ熱硬化を行った。
　次に、ＩＣチップ・送受信装置（図示せず）を内蔵した厚さ１mmのＰＶＣのカード表面板１１をスペーサー１０の打ち抜き部に対応する部位に８mm×４０mm角を打ち抜いた後、表示シート４の表面に接着剤で固着させた。引き続き、周囲を打ち抜き最終的に５０mm×８０mm角の可視磁気カードＡを得た。
【００２８】
　このように形成された可視磁気カードＡにホテル用カードキーとしての客室番号の情報を書き込むには、画像情報書き込みトラック（図示せず）に対してマルチトラックの磁気ヘッドが用いられる。書き込みの際、マルチトラックの磁気ヘッドには画像情報を文字化した場合の文字パターンを構成するような電流が流され、こうしてトラックに文字パターンを構成する画線部が生じ、この画線部に磁性粒子を流動して吸引させ第３図に示すような客室番号情報に対応した磁性粒子８の可視画像を形成する。
　実際には、可視磁気カードキーＡをトラックの磁気ヘッドを有するエンコーダにて例えば部屋番号として「３４５」室の記録を行い、可視磁気カードキーＡを傾けたところ、鮮明な可視画像の表示が得られた。また、該エンコーダを操作して書き換えを行い部屋番号として「２２２」室の可視画像の表示が得られた。
【００２９】
　ロックされた部屋のドアーを解除させるには、図示はしないが、客室のドアーに設置されているカードキー式電子錠のカードリーダー受け入れ口へ可視磁気カードキーＡを挿入し、カードリーダーから発信された信号をキャッチさせてドアーを解除する。
【産業上の利用可能性】
【００３０】
　カードの記録情報において目視確認したいものを、文字化若しくは数字化して磁気記録し、その磁気情報を可視画像として表示できるので、ホテルの利用客にカードキーを渡す際に部屋番号を鉛筆やボールペン等で書き込んだ紙袋にカードキーを入れて手渡す必要がなく、ホテルの客室ドアーのカードキーに適用できる。また、使用金額を明記可能としたクレジットカード等に適用できる。
【図面の簡単な説明】
【００３１】
【図１】可視磁気カードの全体斜視図を示す。
【図２】可視磁気カードの可視磁気表示部の中央部分を切断した拡大断面図を示す。
【図３】可視磁気カードの正面図、側面図、平面図、背面図、使用状態を示す参考図を示す。
【符号の説明】
【００３２】
　 Ａ　　　可視磁気カード
　１　　　光反射性ベースシート
　 ２　　　磁気記録層
　 ３　　　磁気記録シート
　 ４　　　表示シート
　 ５　　　表示セル
　 ８　　　磁性粒子
　 ９　　　微粉末流動化剤
　 １０　　スペーサー
　 １１　　カード表面板
【図１】
2004098670.tif 000003
【図２】
2004098670.tif 000004
【図３】
2004098670.tif 000005